(57)【要約】      （修正有）【課題】押さえ部材が台板とは別体の装着部材に取り付けられていても書類の保持を安定して行えるクリップを提供する。【解決手段】クリップボードやクリップファイルの台板１には、左右方向に横長の窓孔１３が３つ並んで形成される。クリップ２は、台板裏面１Ｂに取り外し自在に取り付けられた装着部材３と、装着部材３に回動可能に支持された押さえ部材４と、押さえ部材４を付勢する板バネ５とを有する。装着部材３の前側領域には、台板１の窓孔１３の大きさと略一致して左右方向に横長となって窓孔１３に挿通させて台板表面１Ａに突出させる３つの凸条９が形成され、これら凸条９に対して押さえ部材４の押圧片４１が対接するように設定されている。従って、書類Ｓは、台板１とは無関係に押さえ部材４の押圧片４１と装着部材３の凸条９との間に強固に挟持され、書類Ｓの保持が安定する。台板１とクリップ２との分別廃棄等に有利である。【選択図】図２
0003127845.tif 000002
【実用新案登録請求の範囲】
【請求項１】
台板の一端側に書類を挟み込むため取り付けられるクリップであって、
上記台板の一端側に形成された切欠部の領域においてこの切欠部を塞ぐ大きさを有して台板裏面に取り外し自在に取り付けられた装着部材と、
前端に下方へ向けて突設した押圧片を有し、下面の後側領域にて上記装着部材に回動可能に支持された押さえ部材と、
上記押さえ部材と上記装着部材との間に介装されて上記押さえ部材の押圧片を台板表面側へ向けて常時付勢するバネとを有し、
上記装着部材の前側領域には、上記台板の切欠部の下方位置にて左右方向に横長に形成された窓孔と略一致した大きさの左右方向に横長となって上記窓孔に挿通させて台板表面に突出させる凸条が形成され、この凸条に対して上記押さえ部材の押圧片が対接するように設定されていることを特徴とするクリップ。
【請求項２】
請求項１に記載のクリップにおいて、
上記凸条の上面には、２条の山形リブが形成されてこれら山形リブ間に上記押さえ部材の押圧片が位置するように設定されているクリップ。
【請求項３】
請求項１又は２に記載のクリップにおいて、
上記押圧片は、上記凸条と１対１に対応させ、且つ左右方向の長さが上記凸条の長さ以下となるように設定されているクリップ。
【考案の詳細な説明】
【技術分野】
【０００１】
本考案は、クリップボードやクリップファイル等の台板の一端側に書類を挟み込むため取り付けられるクリップに関するものである。
【背景技術】
【０００２】
従来、クリップボードとしては、板状の押さえ部材を回動可能に台板に直接取り付け、バネによって押さえ部材の前端部を常時台板に付勢させて押さえ部材の前端部と台板との間に書類を挟み込むようにしたものがある。この種のクリップボードは、台板を押圧する押さえ部材を台板に直接取り付けているので、書類の挟持を比較的強固に行って書類の保持を安定的に行えるものの、押さえ部材を台板から取り外し難く、台板と押さえ部材とを分別して廃棄等する際には不便であった。
【０００３】
一方、押さえ部材を台板とは別体の装着部材に回動可能に支持させたクリップを設け、このクリップを台板に取り付けるようにしたものがある（特開２００３−２００６８７号公報）。この種のクリップボードとしては、図７、図８に示すように、台板１０１の上端側中央部に凹状の切欠部１１０が形成され、クリップ１０２は、上記台板１０１の切欠部１１０の領域においてリベット１０６を介して台板１０１裏面に取り付けられた装着部材１０３と、この装着部材１０３に回動可能に支持されてその前端部１４１と台板１０１との間で書類を挟み込む押さえ部材１０４と、この押さえ部材１０４と上記装着部材１０３との間に介装されて上記押さえ部材１０４の前端部１４１を台板１０１に対して押圧させるように付勢するバネ１０５とを有する。また、上記台板１０１の表面には、左右方向に延びる二条のリブ１１６が形成され、このリブ１１６間に上記押さえ部材１０４の前端部１４１を位置させて、この前端部１４１と台板１０１との間に挟み込んだ書類を滑り止めしている。
【考案の開示】
【考案が解決しようとする課題】
【０００４】
しかしながら、上記クリップボードは、押さえ部材１０４が台板１０１とは別体の装着部材１０３に取り付けられて、この押さえ部材１０４を台板１０１に押圧させて書類を挟持するため、書類の保持が不安定となるおそれがあった。特に、クリップボードの持ち運び時に台板１０１に撓みが生じて書類の保持が弱くなり、時には書類がクリップ１０２から外れて落下させてしまうおそれがある。
【０００５】
本考案は、上記事情に鑑みてなされたものであり、押さえ部材が台板とは別体の装着部材に取り付けられていても書類の保持を安定して行えるクリップを提供することを課題とする。
【課題を解決するための手段】
【０００６】
（１）本考案に係るクリップは、
台板の一端側に書類を挟み込むため取り付けられるクリップであって、
上記台板の一端側に形成された切欠部の領域においてこの切欠部を塞ぐ大きさを有して台板裏面に取り外し自在に取り付けられた装着部材と、
前端に下方へ向けて突設した押圧片を有し、下面の後側領域にて上記装着部材に回動可能に支持された押さえ部材と、
上記押さえ部材と上記装着部材との間に介装されて上記押さえ部材の押圧片を台板表面側へ向けて常時付勢するバネとを有し、
上記装着部材の前側領域には、上記台板の切欠部の下方位置にて左右方向に横長に形成された窓孔と略一致した大きさの左右方向に横長となって上記窓孔に挿通させて台板表面に突出させる凸条が形成され、この凸条に対して上記押さえ部材の押圧片が対接するように設定されていることを特徴とするものである（請求項１）。
【０００７】
これにより、書類は、押さえ部材の押圧片と装着部材に形成した凸条との間で強固に挟持されることとなり、書類の挟持に際して台板を寄与させないようにすることができる。すなわち、台板とは無関係に、押さえ部材の押圧片とこれを回動可能に支持する装着部材の凸条との間で書類が挟持される。従って、押さえ部材が台板とは別体の装着部材に取り付けられていても、書類の挟持に台板を寄与させることなく、押さえ部材の押圧片と装着部材の凸条との間で書類を強固に挟持するので、書類の保持を安定して行うことができる。
また、クリップの装着部材は、台板に対して取り外し自在なので、この装着部材を台板から取り外すだけでクリップが台板から容易に取り外される。
【０００８】
（２）上記凸条の上面には、２条の山形リブが形成されてこれら山形リブ間に上記押さえ部材の押圧片が位置するように設定されていてもよい（請求項２）。
これにより、押さえ部材の押圧片と装着部材の凸条との間で挟み込んだ書類の滑り止めができ、書類の保持をより安定させることができる。
【０００９】
（３）上記押圧片は、上記凸条と１対１に対応させ、且つ左右方向の長さが上記凸条の長さ以下となるように設定されていてもよい（請求項３）。
これにより、クリップを取り付けた切欠部の台板が撓んで浮き上がってきても、この台板によって押圧片が押し上げられることはない。従って、台板の撓みに関わらず、押さえ部材の押圧片と装着部材の凸条との間での書類の挟持を維持し、書類の保持を安定的に行える。
【考案の効果】
【００１０】
以上のように、本考案によれば、押さえ部材が台板とは別体の装着部材に取り付けられていても、書類の保持を安定して行えるので、クリップボードやクリップファイル等の持ち運び時等でも書類がクリップからズレたり外れたりすることを防止できる。しかも、クリップを台板と簡単に分離できるので、特に台板とクリップとが異種材料で形成されている場合は台板とクリップとを分別して廃棄等するのに有利である。
【考案を実施するための最良の形態】
【００１１】
以下に、本考案の実施の形態を図面を参照しながら説明する。
図１に示すように、このクリップボードは、略長方形状の台板１の上端側中央部に書類Ｓを挟み込む本実施の形態のクリップ２が取り付けられている。また、台板１の左端部には、ヒンジ部材７によって表表紙８が開閉可能に連結されている。表表紙８には、この表表紙８を台板１側に閉じたときに台板１に取り付けたクリップ２を逃す切欠８１が上端中央部に設けられている。また、この表表紙８の内面における下方の外側角部には、三角形状のポケット８２が溶着されている。
【００１２】
図２に示すように、台板１には、上記クリップ２の取付位置である上端中央部に凹状の切欠部１０が形成されると共に、切欠部１０の両側にクリップ２の取付孔１１が形成されている。また、この切欠部１０の右縁部及び左縁部のそれぞれには、クリップ２を移動規制する半円状の凹部１２が形成されている。さらに、この切欠部１０の下方位置には、左右方向に横長の長方形状をした窓孔１３が３つ並べて形成されている。なお、これら３つの窓孔１３は、後述する装着部材３の凸条９を台板表面１Ａに突出させるために形成されているので、凸条９を突出可能とする限り、その数は問わない。
【００１３】
そして、図３をも参照して、上記クリップ２は、上記台板１の切欠部１０の領域においてこの切欠部１０を塞ぐ大きさを有して台板裏面１Ｂ（外面）に取り外し自在に取り付けられた長方形板状の装着部材３と、前端に下方へ向けて突設した押圧片４１を有し、下面の後側領域にて上記装着部材３に回動可能に支持された長方形板状の押さえ部材４と、上記押さえ部材４と上記装着部材３との間に介装されて上記押さえ部材４の前端の押圧片４１を台板表面１Ａ側（内面側）へ向けて常時付勢するＵ状の板バネ５とを備える。
【００１４】
押さえ部材４の下面には、左右両側にそれぞれ三角形状の揺動突部４２が形成されており、また、装着部材３の後側領域の上面にも、左右両側にそれぞれ押さえ部材４の各揺動突部４２と対接する三角形状の揺動突部３２が形成されている。これら揺動突部３２，４２における三角形の頂部には、左右に並んで突起３３，４３と穴３４，４４とが形成されている。そして、押さえ部材４を装着部材３に対接させると、押さえ部材４側の各揺動突部４２の突起４３が装着部材３側の各揺動突部３２の穴３４に嵌り込むと共に、装着部材３側の各揺動突部３２の突起３３が押さえ部材４側の各揺動突部４２の穴４４に嵌り込む。これにより、押さえ部材４が装着部材３に対して回動可能となる。
【００１５】
上記各揺動突部３２，４２は、後方に開口する凹陥部３５，４５が設けられており、上下に対接する各揺動突部３２，４２の凹陥部３５，４５にＵ状の板バネ５の各端部が嵌め込まれる。これにより、押さえ部材４は、板バネ５によって前端の押圧片４１が台板表面１Ａ側へ向けて常時付勢され、そして、押さえ部材４の後端を操作部として下方に押し下げると押さえ部材４の前端が開くように回動される。
【００１６】
装着部材３の上面には、揺動突部３２より外方の左右両側にそれぞれ円筒状の取付筒部３７が突出形成されており、これら取付筒部３７を台板裏面１Ｂ側から取付孔１１に挿通させ、台板表面１Ａ側からピン６を嵌合させることで、装着部材３が台板１の切欠部１０の領域に取り付けられる。これにより、板バネ５を介装させて装着部材３に押さえ部材４を組み込んでクリップ２を構成した状態で、上記のように、その装着部材３を台板１に取り付けることで、クリップ２が台板１に簡単に取り付けられる。
【００１７】
装着部材３の左右の揺動突部３２の前部には、連続した横長の立ち壁部３８が突出形成されており、この立ち壁部３８に台板１の切欠部１０の上縁部が当接されて、装着部材３の位置決めがなされる。また、装着部材３の左右の揺動突部３２には、それぞれの外側の側面に半円状に出張った膨出部３６が形成されており、これら膨出部３６は、台板１の切欠部１０の右縁部及び左縁部に形成する半円状の凹部１２と係合されて、装着部材３の位置決めや移動規制がなされる。なお、上記膨出部３６は、装着部材３の揺動突部３２における穴３４の位置に対応して形成されており、この穴３４の補強ともなる。
【００１８】
そして、このクリップボードの特徴的な構成として、装着部材３の前側片において、左右方向に横長の矩形状をした凸条９が３つ並べて形成されている。これら凸条９は、上記台板１の窓孔１３の大きさと略一致して形成されており、装着部材３を台板裏面１Ｂに取り付けると、各凸条９が上記窓孔１３を挿通して台板表面１Ａに突出される。そして、板バネ５で付勢された押さえ部材４の前端の押圧片４１がこれら凸条９に対接される。これにより、書類Ｓは、押圧片４１とこれら凸条９との間に強固に挟持される。
【００１９】
また、各凸条９は、その上面に前後２条の山形リブ９１が形成されており、これら山形リブ９１の間に上記押さえ部材４の前端の押圧片４１が位置してこの押圧片４１と山形リブ９１との間に書類Ｓを挟み込むようにしている。なお、上記凸条９を台板１の窓孔１３に挿通させることでクリップ２の位置決めや移動規制にも寄与する。
【００２０】
以上の構成より、本実施の形態のクリップボードによれば、書類Ｓは、押さえ部材４の押圧片４１と装着部材３に形成する凸条９との間に強固に挟持されることとなり、書類Ｓの挟持に際して台板１を寄与させないようにすることができる。すなわち、台板１とは無関係に、押さえ部材４とこれを回動可能に支持する装着部材３との間で書類Ｓが挟持される。従って、押さえ部材４が台板１とは別体の装着部材３に取り付けられていても、書類Ｓの挟持に台板１を寄与させることなく、押さえ部材４とこれを回動可能に支持する装着部材３との間で書類Ｓを強固に挟持するので、書類Ｓの保持を安定させることができる。
【００２１】
また、各凸条９の上面には２条の山形リブ９１が形成されてこの山形リブ９１間に上記押圧片４１を位置させてこの押圧片４１と山形リブ９１との間に書類Ｓを挟み込むので、書類Ｓの滑り止めができ、書類Ｓの保持をより安定させることができる。
【００２２】
このように、押さえ部材４が台板１とは別体の装着部材３に取り付けられていても、書類Ｓの保持を安定して行えるので、クリップボードの持ち運び時等でも書類Ｓがクリップ２からズレたり外れたりすることを防止できる。
しかも、クリップ２の装着部材３を固定しているピン６を取り外すことで簡単にクリップ２を台板１から取り外すことができるので、クリップ２を台板１から簡単に分離できる。従って、台板１とクリップ２とが異種材料の場合（例えば、台板１が紙製で、クリップ２が樹脂製等）は、台板１とクリップ２とを容易に分別して廃棄等するのに有利である。
【００２３】
なお、本考案は、上記実施の形態に限定されず、適宜に変更することができる。
（１）上記押圧片４１の長手方向の長さは、３つの凸条９の形成域よりも長くなっているが、３つすべての凸条９と当接する限り、これら３つの凸条９の形成域よりも短くしてもよい。
また、上記凸条９は、３つに限らず、１つでもよいし、３つ以外の複数個でもよい。
【００２４】
（２）また、上記押圧片４１は、上記凸条９と１対１に対応させ、且つ押圧片４１の長手方向の長さを凸条９の長さ以下に設定してもよい。
例えば、図４に示すように、押さえ部材４の押圧片４１Ａは、各凸条９と１対１に対応させて部分的に３つ形成し、これら部分的な押圧片４１Ａの１つ１つの長さを、対接する各凸条９の長さと一致させるようにしてもよい。
また、図５に示すように、装着部材３の凸条９Ａは、横長に１つ形成し、その長さを押さえ部材４の押圧片４１の長さと一致させるようにしてもよい。この場合、台板１の窓孔１３もこの横長の凸条９の長さに合わせて横長に１つ形成する必要がある。
【００２５】
これら図４、図５に示すものは、いずれも、押圧片４１Ａ（４１）の長さを凸条９（９Ａ）の長さと一致させているので、台板１の窓孔１３の長さも押圧片４１の長さと一致し、そのため、台板１が撓んでクリップ２を取り付けた切欠部１０の領域の台板１が浮き上がってきても、この台板１によって押圧片４１が押し上げられることはない。従って、台板１の撓みに関わらず、押さえ部材４の押圧片４１と装着部材３の凸条９との間での書類Ｓの挟持を維持し、書類Ｓの保持を安定的に行える。
【００２６】
（３）図６に示すように、クリップ２は、台板１においてヒンジ７’を形成して表表紙８を連結する側端側の中央位置に取り付け、クリップファイルとして使用するようにしてもよい。なお、表表紙８には、台板１側に折り畳んだときクリップ２を表に露出させる切欠８１を形成するが、このような切欠８１を形成しないものでもよい。
（４）また、台板１には表表紙８を設けないものでもよい。
【図面の簡単な説明】
【００２７】
【図１】実施の形態によるクリップを用いたクリップボードの全体構成として表表紙を開いた状態を示す平面図である。
【図２】台板のクリップ取付部分を拡大してクリップの分解状態を示す分解斜視図である。
【図３】台板のクリップ取付部分を示す断面図である。
【図４】クリップにおける押さえ部材の他の例を示す分解斜視図である。
【図５】クリップにおける装着部材の他の例を示す分解斜視図である。
【図６】クリップを用いたクリップファイルの全体構成として表表紙を開いた状態を示す平面図である。
【図７】従来のクリップボードの構成を示す斜視図である。
【図８】図７の従来のクリップボードにおけるクリップ取付部分を示す断面図である。
【符号の説明】
【００２８】
１  台板
１Ａ  台板表面
１Ｂ  台板裏面
２  クリップ
３  装着部材
４  押さえ部材
５  板バネ
９  凸条
１０  切欠部
１３  窓孔
３２  揺動突部（装着部材側）
４１  押圧片
４２  揺動突部（押さえ部材側）
Ｓ  書類
【図１】
0003127845.tif 000003
【図２】
0003127845.tif 000004
【図３】
0003127845.tif 000005
【図４】
0003127845.tif 000006
【図５】
0003127845.tif 000007
【図６】
0003127845.tif 000008
【図７】
0003127845.tif 000009
【図８】
0003127845.tif 000010